(57)【要約】【課題】ソケットから光源ユニットを容易に取り外すことができる照明器具を提供する。【解決手段】照明器具１は、光源ユニット２と、ソケット３と、筐体４とを備える。光源ユニット２は、円筒形状の胴部２１を有する。胴部２１は、凸部２１４を有する。凸部２１４は、胴部２１の外周面から径方向に突出するように形成される。ソケット３は、側壁３２を有している。ソケット３には、第１方向から筐体４に挿入された光源ユニット２が取り付けられている。側壁３２は、保持部３３と、傾斜部３４とを有する。保持部３３は、凸部２１４を保持して、胴部２１の周方向の一方向に光源ユニット２が移動することを規制するように形成されている。傾斜部３４は、保持部３３に対して他方向に位置するように形成されている。傾斜部３４は、保持部３３から他方向に離れるにつれて第１方向の反対である第２方向に向かって傾斜している。【選択図】図１
2017135044.tif 000002
【特許請求の範囲】
【請求項１】
光源を有する光源ユニットと、前記光源ユニットが取り付けられるソケットと、前記ソケットが収容される筐体とを備え、
前記光源ユニットは、円筒形状の胴部を有し、前記胴部の一端面である放射面から前記光源の光を放射するように形成され、
前記胴部は、複数の凸部を有し、
前記複数の凸部のそれぞれは、前記胴部の外周面から径方向に突出するように形成され、
前記筐体は、筒形状に形成され、
前記ソケットは、側壁を有し、
前記側壁は、前記筐体の内周面に沿って形成され、
前記ソケットには、第１方向から前記筐体に挿入された前記光源ユニットが取り付けられ、
前記側壁は、複数の保持部と、少なくとも１つの傾斜部とを有し、
前記複数の保持部のそれぞれは、前記複数の凸部のそれぞれを保持して、前記胴部の周方向の一方向に前記光源ユニットが回転することを規制するように形成され、
前記傾斜部は、少なくとも１つの前記保持部に対して前記一方向と反対の他方向に位置するように形成され、前記保持部から前記他方向に離れるにつれて前記第１方向の反対である第２方向に向かって傾斜している
ことを特徴とする照明器具。
【請求項２】
前記ソケットは、前記複数の保持部のうちの一部の保持部のそれぞれの前記他方向に位置する前記傾斜部を有する
ことを特徴とする請求項１に記載の照明器具。
【請求項３】
前記筐体は、底壁を備え、
前記底壁は、前記筐体内を閉塞するように形成され、
前記胴部には、前記放射面に対向する取付面が平面形状に形成され、
前記ソケットは、複数のバネを有し、
前記複数のバネのそれぞれは、前記複数の保持部のそれぞれに配置され、前記複数の凸部のそれぞれに対して前記筐体の前記底壁に向かう弾性力を与えるように形成され、
前記取付面が前記底壁に熱的に接続されている
ことを特徴とする請求項１または２に記載の照明器具。
【請求項４】
前記光源ユニットの前記取付面と前記筐体の前記底壁との間に、熱伝導性を有する熱伝導シートが配置され、
前記複数の凸部のそれぞれが前記複数の保持部のそれぞれに保持されている状態において、前記取付面が前記熱伝導シートを介して前記底壁と熱的に接続されている
ことを特徴とする請求項３に記載の照明器具。
【請求項５】
前記筐体は、拡径部を有し、
前記拡径部は、前記第２方向に向かって径が広がるように形成される
ことを特徴とする請求項３または４のいずれか一項に記載の照明器具。
【発明の詳細な説明】
【技術分野】
【０００１】
本発明は、ソケットを使用する照明器具に関する。
【背景技術】
【０００２】
従来例として、特許文献１に記載のソケットおよび照明装置を例示する。特許文献１に記載の照明装置は、例えば、ダウンライトなどに好適な照明装置であり、装置本体と、その装置本体に支持されたソケットと、ソケットを介して装置本体に着脱可能に装着されるランプユニットとを有して構成されている。装置本体は、例えば、ランプユニットの周部を囲繞するリフレクタ部材と、このリフレクタ部材の上部に固設された放熱体とをさらに有して構成される。
【０００３】
ソケットは、略円筒形状をなす口金受容部と、この口金受容部の下端部（先端部）に連接する外向フランジ部とが耐熱性樹脂などによって一体形成されたソケット本体とを有する。ランプユニットは、下端側（先端側）に筐体を有する。筐体は、円筒部と円筒部の基部側に形成された頂部から突設する口金とを有する。ソケットの口金受容部に対して、ランプユニットの口金が相対回転されると、口金は、口金受容部内で係止（嵌合）される。
【先行技術文献】
【特許文献】
【０００４】
【特許文献１】国際公開第２０１２／００５２４４号
【発明の概要】
【発明が解決しようとする課題】
【０００５】
ところで、このような照明装置では、デザイン性を考慮し、ランプユニットの外周面と装置本体の内周面との隙間が狭くなるように形成されることが好まれている。従来の照明装置では、ソケットの内周面にランプユニットの外周面が引っ掛かってしまい、ソケットからランプユニットを容易に取り外すことが困難な場合があった。
【０００６】
本発明は、上記事由に鑑みてなされており、ソケットから光源ユニットを容易に取り外すことができる照明器具を提供することを目的とする。
【課題を解決するための手段】
【０００７】
本発明の照明器具は、光源を有する光源ユニットと、前記光源ユニットが取り付けられるソケットと、前記ソケットが収容される筐体とを備え、前記光源ユニットは、円筒形状の胴部を有し、前記胴部の一端面である放射面から前記光源の光を放射するように形成され、前記胴部は、複数の凸部を有し、前記複数の凸部のそれぞれは、前記胴部の外周面から径方向に突出するように形成され、前記筐体は、筒形状に形成され、前記ソケットは、側壁を有し、前記側壁は、前記筐体の内周面に沿って形成され、前記ソケットには、第１方向から前記筐体に挿入された前記光源ユニットが取り付けられ、前記側壁は、複数の保持部と、少なくとも１つの傾斜部とを有し、前記複数の保持部のそれぞれは、前記複数の凸部のそれぞれを保持して、前記胴部の周方向の一方向に前記光源ユニットが回転することを規制するように形成され、前記傾斜部は、少なくとも１つの前記保持部に対して前記一方向と反対の他方向に位置するように形成され、前記保持部から前記他方向に離れるにつれて前記第１方向の反対である第２方向に向かって傾斜していることを特徴とする。
【発明の効果】
【０００８】
本発明の照明器具は、ソケットから光源ユニットを容易に取り外すことできるという効果がある。
【図面の簡単な説明】
【０００９】
【図１】本発明の実施形態に係る照明器具を示す分解斜視図である。
【図２】同上の照明器具における光源ユニットを示す断面図である。
【図３】同上の照明器具における光源ユニットと電源ケーブルとを示す斜視図である。
【図４】同上の照明器具におけるソケットおよび筐体の断面図である。
【図５】同上の照明器具のおける別の例のソケットの斜視図である。
【発明を実施するための形態】
【００１０】
以下の実施形態は、照明器具に関し、より詳細には、光源ユニットが取外し可能な照明器具に関する。以下、照明器具の実施形態について、図面を参照して詳細に説明する。
【００１１】
本実施形態の照明器具は、例えば天井などの造営材に取り付けられる照明器具である。なお、以下に説明する照明器具は、本発明の一例に過ぎない。本発明は、下記の実施形態に限定されることはなく、以下の実施形態以外であっても、本発明に係る技術的思想を逸脱しない範囲であれば、設計などに応じて種々の変更が可能である。以下の説明において特に断りのない限り、図１において上下方向を規定する。ただし、この方向は、本実施形態の照明器具の使用状態を限定する趣旨ではない。
【００１２】
本実施形態の照明器具１は、図１に示すように、光源ユニット２と、ソケット３と、筐体４と、電源ケーブル５とを備える。
【００１３】
光源ユニット２は、図２に示すように、胴部２１と、放射部２２と、光源モジュール（光源）２３と、熱伝導シート２４とを備える（図３参照）。
【００１４】
胴部２１は、円型の板状に形成された取付壁２１１と、周壁２１２と、反射板２１３と、２つの凸部２１４（図３参照）とを有する。胴部２１は、周壁２１２が取付壁２１１の周縁から取付壁２１１の厚み方向（上下方向）の下向きに突出する有底円筒形状に形成される。取付壁２１１は、上面（取付面）２１１ａが平面形状に形成されている。取付壁２１１には、図３に示すように、電源ケーブル５が通されるための開口２１５が、周縁付近に形成されている。
【００１５】
光源モジュール２３は、複数のＬＥＤ（Ｌｉｇｈｔ  Ｅｍｉｔｔｉｎｇ  Ｄｉｏｄｅ）によって構成されている。光源モジュール２３は、図２に示すように、胴部２１の内部であって、取付壁２１１の径方向の中心付近に放射面が下向きになるように取付壁２１１に配置されている。光源モジュール２３には、所望の直流電力が電源ケーブル５を介して入力されている。
【００１６】
反射板２１３は、周壁２１２の内周面の下端から光源モジュール２３に向かって先細りするように斜め上方向に張り出すようにして形成されている。つまり、反射板２１３の先端（上端）は、光源モジュール２３の周縁付近に配置されて、光源モジュール２３から放射された光を放射部２２に向けて反射するように下端が開口している。
【００１７】
２つの凸部２１４のそれぞれは、図３に示すように、周壁２１２の外周面に、径方向の外側に向かって突出している。２つの凸部２１４のそれぞれは、胴部２１の径方向に対して対向するように形成されている。２つの凸部２１４のそれぞれは、図２に示すように、胴部２１の径方向から見て下方向に先細りする五角形状に形成されている。
【００１８】
放射部２２は、透光性の材料によって円型の板状に形成された放射パネル２２１と、放射パネル２２１の周縁から上向きに突出する周壁２２２とを備える。放射パネル２２１は、反射板２１３の開口を覆うように配置される。放射パネル２２１は、放射面２２１ａが下向きになるように配置され、光源モジュール２３から放射される光および反射板２１３から反射された光を下方向の照射面に向かって放射するように形成されている。周壁２２２の内周面が胴部２１の周壁２１２の外周面に接触するようにして、放射部２２は、胴部２１に取り付けられている。
【００１９】
放射パネル２２１の放射面２２１ａには、図１に示すように、下向きに突出する２つのつまみ２２４が形成されている。２のつまみ２２４のそれぞれは、放射パネル２２１の周方向から見て矩形に形成されている。つまみ２２４のそれぞれは、放射パネル２２１の径方向に互いに対向するよう形成されている。
【００２０】
熱伝導シート２４は、高い熱伝導性を有しており、図３に示すように、略円型に形成され、取付壁２１１の取付面２１１ａに配置されている（図２参照）。熱伝導シート２４は、光源モジュール２３から発生した熱を筐体４に伝える。
【００２１】
電源ケーブル５は、一端にコネクタ５１を有する。コネクタ５１は、例えば造営材に配置されている電源などに接続される。電源ケーブル５の他端は、光源モジュール２３に接続されている。電源ケーブル５は、電源などからの電力を光源モジュール２３に供給する。
【００２２】
筐体４は、図１に示すように、底壁４０と、周壁４１と、拡径部４２と、フランジ４３とを備える。周壁４１は、軸方向の両端が開口する円筒状に形成されている。底壁４０は、円型の板状に形成され、外周面が周壁４１の内周面に接触して周壁４１内を閉塞するように配置されている。また底壁４０は、両面が平面形状に形成されている。底壁４０には、電源ケーブル５が通る開口４０１が形成されている。拡径部４２は、周壁４１の軸方向の一端（下端）の周縁から下方向（第２方向）に突出するように形成されている。拡径部４２は、周壁４１から下側に向かって離れるにつれて径方向に広がるように形成されている。拡径部４２は、内周面に光を反射する反射面が形成されている。フランジ４３は、拡径部４２の下端の周縁から周壁４１の径方向の外側に向かって突出するように形成されている。
【００２３】
底壁４０の下面（伝熱面）は、光源ユニット２の取付壁２１１の取付面２１１ａと熱伝導シート２４を介して熱的に接続されて筐体４の内部に形成されている。したがって、光源モジュール２３が発生した熱は、取付壁２１１の取付面２１１ａから熱伝導シート２４に伝わり、筐体４の底壁４０にさらに伝わり放熱される。このように、光源モジュール２３は、発生した熱が効率よく放熱される。
【００２４】
筐体４は、複数の放熱板４４をさらに備える。複数の放熱板４４のそれぞれは、互いに板厚方向に沿って、底壁４０の上面に並べて配置されることが好ましい。
【００２５】
ソケット３は、図１に示すように、筐体４と一体に形成されており、側壁３２を備える。側壁３２は、第１側壁３２ａおよび第２側壁３２ｂとで構成されている。ソケット３は、第１側壁３２ａおよび第２側壁３２ｂのそれぞれが周壁４１の内周面に沿うように形成される。第１側壁３２ａおよび第２側壁３２ｂのそれぞれは、底壁４０の周縁から下向きに突出するように形成されている。第１側壁３２ａおよび第２側壁３２ｂのそれぞれには、保持部３３と傾斜部３４が形成されている。
【００２６】
保持部３３のそれぞれは、第１側壁３２ａおよび第２側壁３２ｂのそれぞれの周方向の一端に形成されている。保持部３３のそれぞれは、図４に示すように、切欠部３３１と、枠部３３２とを有する。切欠部３３１は、第１側壁３２ａおよび第２側壁３２ｂのそれぞれの内周面に第１側壁３２ａおよび第２側壁３２ｂのそれぞれの厚みが薄くなるように切り欠けられて形成される。切欠部３３１が形成されることで、第１側壁３２ａおよび第２側壁３２ｂのそれぞれには、段形状の枠部３３２が形成される。枠部３３２は、取付部３３２ａ、底片３３２ｂ、延部３３２ｃと、突起３３２ｄとで構成されている。取付部３３２ａは、段形状の上段であって、ねじ孔を有する。底片３３２ｂは、段形状の下段であって、突起３３２ｄが上方向に向かって突出するように形成されている。延部３３２ｃは、底片３３２ｂの先端から上方に延設されている。切欠部３３１は、挿入部３３１ａと、ねじ挿入部３３１ｂとを有する。挿入部３３１ａは、底片３３２ｂと底壁４０との間に位置する。ねじ挿入部３３１ｂは、取付部３３２ａと底壁４０との間に位置する。なお、延部３３２ｃと底壁４０との間は、周方向に開口している。
【００２７】
保持部３３には、バネ３２１として、例えば板バネが取り付けられている。バネ３２１は、Ｕ字形状に形成され、基端３２１ａと、開放片３２１ｂとで構成されている。バネ３２１の基端３２１ａは、ねじ３２２が取付部３３２ａに設けられたねじ孔に挿入されて、突起３３２ｄによって位置決めされて枠部３３２に固定されている。バネ３２１の基端３２１ａは、底片３３２ｂおよび延部３３２ｃに沿うようにして配置されている。開放片３２１ｂは、上下方向に撓むようにして配置されている。バネ３２１の開放片３２１ｂは、底壁４０に向かう弾性力を与えるように形成されている。つまり、バネ３２１の開放片３２１ｂは、上側から下方向に向かって荷重が加えられると、上方向に押し返すように形成されている。また、開放片３２１ｂには、凸部２１４の下端が嵌り込む凹部３２１ｃが形成されている。
【００２８】
傾斜部３４のそれぞれは、第１側壁３２ａおよび第２側壁３２ｂのそれぞれの他端側に形成されている。ここで、第１側壁３２ａに形成される保持部３３は、第２側壁３２ｂの傾斜部３４と周方向に隣り合うように形成されている。第２側壁３２ｂに形成される保持部３３は、第１側壁３２ａに形成される傾斜部３４と周方向に隣り合うように形成されている。第２側壁３２ｂの傾斜部３４は、第１側壁３２ａの保持部３３から離れるにつれて底壁４０から離れる向き（下向き、第２方向）に傾斜するように形成されている。第１側壁３２ａの傾斜部３４は、第２側壁３２ｂの保持部３３から離れるにつれて、下向きに傾斜するように形成されている。つまり、側壁３２ａ、３２ｂの他端側には、傾斜面３４１が形成される。
【００２９】
ここで、光源ユニット２をソケット３に取り付ける方法について説明する。作業者は、光源ユニット２の放射パネル２２１を下向きにして、筐体４のフランジ４３側から底壁４０（第１方向）に向かって光源ユニット２を移動させる。凸部２１４のそれぞれが側壁３２の下面に接触した場合、作業者は、つまみ２２４に指を添えて光源ユニット２を胴部２１の径方向の中心を回転軸として、時計回り（光源ユニット２の周方向の一方向）につまみ２２４を押して光源ユニット２を回転させる。凸部２１４のそれぞれが傾斜部３４に接触すると、作業者は、凸部２１４のそれぞれを傾斜面３４１に沿わせながら光源ユニット２を回転させる。凸部２１４のそれぞれが底壁４０に接触した場合、作業者は、光源ユニット２をさらに時計回りに回転させて、凸部２１４のそれぞれを保持部３３の挿入部３３１ａに挿入させる。さらに作業者は、凸部２１４のそれぞれが周方向の一方向に移動することを規制されるまで、つまり凸部２１４の一方の側面が基端３２１ａに接触するまで、光源ユニット２を回転させる。このとき、凸部２１４の下端がバネ３２１の凹部３２１ｃに嵌り込む。凸部２１４の下端が凹部３２１ｃに嵌り込むことで、光源ユニット２がソケット３から外れることを防止できる。また、凸部２１４の下端が凹部３２１ｃに嵌り込むときにクリック感が生じ、作業者は、取付完了を感知することができる。バネ３２１のそれぞれは、凸部２１４を底壁４０の方向（上向き）に押えつけることで、凸部２１４を保持する。このようにして、光源ユニット２は、ソケット３に固定される。
【００３０】
なお、作業者は、複数の凸部２１４のそれぞれが傾斜面３４１に接触するように光源ユニット２を上方向に移動させてもよい。また、作業者は、複数の凸部２１４のそれぞれを傾斜面３４１と挿入部３３１ａとの間の底壁４０に接触するように光源ユニット２を上方向に移動させてもよい。
【００３１】
次に、光源ユニット２をソケット３から取り外す方法について説明する。作業者は、光源ユニット２のつまみ２２４のそれぞれを反時計回り（光源ユニット２の周方向の他方向）に押えて、光源ユニット２を反時計回りに回転させる。凸部２１４のそれぞれが対応する傾斜部３４に接触すると、作業者は、凸部２１４のそれぞれを傾斜面３４１に沿わせながら光源ユニット２を回転させる。このとき、光源ユニット２は、ソケット３に対して下方向に移動する。そして、凸部２１４のそれぞれが側壁３２の下端に到達すると、作業者は、光源ユニット２をソケット３から取り外すことができる。
【００３２】
本実施形態の照明器具１は、光源ユニット２をソケット３から取り外す際、凸部２１４のそれぞれが傾斜面３４１を沿って光源ユニット２が回転しながら下向きに移動するので、光源ユニット２は、ソケット３から容易に取り外されることができる。
【００３３】
また、本実施形態の照明器具１は、拡径部４２が先端に向かって径が広がるように形成されているので、光源ユニット２の胴部２１の外周面と筐体４の拡径部４２との間に隙間ができる。したがって、作業者は、光源ユニット２の胴部２１の外周面に指を掛けて光源ユニット２をソケット３から容易に取り外すことができる。
【００３４】
なお、凸部２１４の数および形状は、本実施形態に限られず、例えば、胴部２１の径方向から見て三角形状に形成されていてもよい。また、保持部３３の数は、本実施形態に限られず、３つ以上でもよい。
【００３５】
さらに、傾斜部３４は、第１側壁３２ａおよび第２側壁３２ｂのいずれかの１つの側壁３２に形成されればよい。例えば、第２側壁３２ｂにのみ傾斜部３４を有している場合、作業者は、光源ユニット２をソケット３から取り外す際に光源ユニット２を上下方向に対して傾かせることができる。この場合、光源ユニット２の胴部２１の外周面と筐体４の拡径部４２との間により大きな隙間ができ、作業者は、光源ユニット２の胴部２１の外周面に指を掛けることができるので、より容易に光源ユニット２をソケット３から取り外すことができる。
【００３６】
また、筐体４の周壁４１の形状は、円筒形状に限らず、例えば、下方向に径が広がるように形成されてもよい。
【００３７】
なお、本実施形態の照明器具１では、ソケット３と筐体４とが一体に形成されているが、ソケット３と筐体４とが個別に形成されてもよい。例えば、第１側壁３２ａおよび第２側壁３２ｂのそれぞれは、独立した構成部品であってもよい。この場合、材料の使用量を削減することができ、照明器具の軽量化およびコストダウンを図ることができる。さらに、例えば、ソケット３は、円型の板状に形成される底部３１と、第１側壁３５ａと、第２側壁３５ｂとで構成されていてもよい（図５参照）。このように形成されることで、様々な照明器具で使用でき、第１側壁３５ａおよび第２側壁３５ｂの位置関係が決定されているので、筐体４に取り付ける際の寸法誤差を抑制することができ、さらに取付作業を軽減することができる。
【００３８】
本実施形態の照明器具１は、光源（光源モジュール）２３を有する光源ユニット２と、光源ユニット２が取り付けられるソケット３と、ソケット３が収容される筐体４とを備える。光源ユニット２は、円筒形状の胴部２１を有し、胴部２１の一端面である放射面２２１ａから光源モジュール２３の光を放射するように形成されている。胴部２１は、複数の凸部２１４を有する。複数の凸部２１４のそれぞれは、胴部２１の（周壁２１２の）外周面から径方向に突出するように形成される。筐体４は、筒形状に形成される。ソケット３は、側壁３２を有する。側壁３２は、筐体４の内周面に沿って形成されている。ソケット３には、第１方向から筐体４に挿入された光源ユニット２が取り付けられている。側壁３２は、複数の保持部３３と、少なくとも１つの傾斜部３４とを有する。複数の保持部３３のそれぞれは、複数の凸部２１４のそれぞれを保持して、胴部２１の周方向の一方向に光源ユニット２が回転することを規制するように形成されている。傾斜部３４は、少なくとも１つの保持部３３に対して一方向と反対の他方向に位置するように形成されている。傾斜部３４は、保持部３３から他方向に離れるにつれて第１方向の反対である第２方向に向かって傾斜している。
【００３９】
本実施形態の照明器具１は、上述のように構成されるので、ソケット３から光源ユニット２を容易に取り外すことできる。
【００４０】
本実施形態の照明器具１において、ソケット３は、複数の保持部３３のうちの一部の保持部３３のそれぞれの他方向に位置する傾斜部３４を有することが好ましい。
【００４１】
本実施形態の照明器具１が上述のように構成されると、光源ユニット２をソケット３から取り外す場合、光源ユニット２をソケット３に対して傾けることができるので、より容易に取り外すことができる。
【００４２】
本実施形態の照明器具１において、筐体４は、底壁４０を備えることが好ましい。底壁４０は、筐体４内を閉塞するように形成されることが好ましい。胴部２１には、放射面２２１ａに対向する取付面２１１ａが平面形状に形成されていることが好ましい。ソケット３は、複数のバネ３２１を有することが好ましい。複数のバネ３２１のそれぞれは、複数の保持部３３のそれぞれに配置され、複数の凸部２１４のそれぞれに対して筐体４の底壁４０に向かう弾性力を与えるように形成されていることが好ましい。取付面２１１ａは、底壁４０に熱的に接続されていることが好ましい。
【００４３】
本実施形態の照明器具１が上述のように形成されると、光源モジュール２３が発生する熱が筐体４に伝わり、効率よく放熱させることができる。
【００４４】
本実施形態の照明器具１では、光源ユニット２の取付面２１１ａと筐体４の底壁４０との間に、熱伝導性を有する熱伝導シート２４が配置されることが好ましい。複数の凸部２１４のそれぞれが複数の保持部３３のそれぞれに保持されている状態において、取付面２１１ａは、熱伝導シート２４を介して底壁４０と熱的に接続されていることが好ましい。
【００４５】
本実施形態の照明器具１が上述のように構成されると、熱伝導シート２４が、光源モジュールが発生する熱の放熱量を増加させることができる。
【００４６】
本実施形態の照明器具１において筐体４は、拡径部４２を有しすることが好ましい。拡径部４２は、第２方向に向かって径が広がるように形成されることが好ましい。
【００４７】
本実施形態の照明器具１が上述のように構成されると、光源ユニット２が下側に移動することで、作業者が光源ユニット２の胴部２１の外周面に指を掛けることができ、より容易に光源ユニット２をソケット３から取り外すことができる。
【符号の説明】
【００４８】
１  照明器具
２  光源ユニット
２１  胴部
２１１ａ  取付面
２１２  周壁
２１４  凸部
２２１ａ  放射面
２３  光源モジュール（光源）
２４  熱伝導シート
３  ソケット
３２  側壁
３２１  バネ
３３  保持部
３４  傾斜部
４  筐体
４０  底壁
４２  拡径部
【図１】
2017135044.tif 000003
【図２】
2017135044.tif 000004
【図３】
2017135044.tif 000005
【図４】
2017135044.tif 000006
【図５】
2017135044.tif 000007